(57)【要約】【課題】ＨＤＭＩ（High Definition  Multimedia Interface）端子に接続された外部機器用のＥＤＩＤ（Extended Display  Identification Data）を記憶する記憶部の削減によるコストの削減や、設置する際の基板上のスペースを縮小することが可能な映像機器を提供する。【解決手段】テレビ受像機２００に備えられたＨＤＭＩ端子ｃ６１またはＨＤＭＩ端子ｄ６２の一方または両方に、外部機器であるＤＶＤレコーダ３１またはＳＴＢ３２が接続され、認証作業が行われる場合、マイクロプロセッサ５１により、ＤＶＤレコーダ３１またはＳＴＢ３２が接続されているＨＤＭＩ端子が検出され、検出されたＨＤＭＩ端子に接続された外部機器用のＥＤＩＤ６４または６５が、ＥＥＰＲＯＭ６３からＩＩＣＢＵＳライン６６または６７を介して、ＤＶＤレコーダ３１またはＳＴＢ３２に送信される。【選択図】図１
2009038599.tif 000002
【特許請求の範囲】
【請求項１】
機器全体の制御を行う制御部と、
デジタル信号を入力するためのＨＤＭＩ（High  Definition Multimedia Interface）端子と、
前記ＨＤＭＩ端子に接続された外部機器から伝送されるデジタル信号を処理するためのＨＤＭＩ信号処理部と、
前記ＨＤＭＩ信号処理部から出力される映像信号に対して画像処理を行う映像信号処理部と、
前記映像信号処理部から出力される映像信号が入力される映像表示部と、
を備えた映像機器において、
前記映像表示部に関する基本情報であるＥＤＩＤ（Extended
Display Identification Data）を記憶した１つの記憶部を有し、
前記ＨＤＭＩ端子は、前記映像機器に複数設けられ、
前記ＥＤＩＤが、前記ＨＤＭＩ端子各々に対応して前記記憶部に記憶され、
前記ＨＤＭＩ端子に前記外部機器が接続され、前記映像機器と前記外部機器間において認証作業を行う場合、前記制御部は、前記外部機器が接続されている前記ＨＤＭＩ端子を検出し、当該ＨＤＭＩ端子に対応した前記ＥＤＩＤを前記記憶部から前記外部機器へ伝送することを特徴とする映像機器。
【発明の詳細な説明】
【技術分野】
【０００１】
本発明は、ＨＤＭＩ（High  Definition Multimedia Interface）を備えた映像機器に関するものである。
【背景技術】
【０００２】
近年、マルチメディアインターフェースの規格の１つとして、ＨＤＭＩが確立された。
【０００３】
従来、映像機器同士を接続する場合は、映像・音声・制御の各信号用に複数のケーブルを使用せざるをえず、また各信号の伝送は、１本のケーブルにつき、一方向のみであるため、双方向の伝送を行う場合は、各信号毎に２本のケーブルを用意する必要があった。
【０００４】
ＨＤＭＩでは、映像・音声・制御信号を合わせて伝送することが可能であり、また、制御信号の双方向の伝送が可能であるため、映像機器同士を接続することで、１台のリモートコントロール装置を用いて複数の映像機器を制御することが出来る。
【０００５】
図２は、ＨＤＭＩ端子を備えた従来の映像機器の一例を示したブロック図である。
図において、１００はＨＤＭＩ端子を備えた映像機器の一例であるテレビ受像機、１はテレビ受像機１００全体を制御するためのマイクロプロセッサ、２はテレビ受像機１００の各部に電源を供給する電源部、１１は放送電波を受信するためのチューナ、１２はチューナ１１で受信した放送電波に含まれている放送信号を復調するための復調部、２１はテレビ受像機１００に備えられたＨＤＭＩ端子ａ、２２はテレビ受像機１００に備えられたＨＤＭＩ端子ｂ、２３はＨＤＭＩ端子ａ２１用に設けられたＥＥＰＲＯＭ（Electronically Erasable and Programmable Read Only Memory）、２４はＨＤＭＩ端子ｂ２２用に設けられたＥＥＰＲＯＭ、２５はＥＥＰＲＯＭ２３に記憶されているデータａ、２６はＥＥＰＲＯＭ２４に記憶されているデータｂ、２７はＨＤＭＩ端子ａ２１とＥＥＰＲＯＭ２３を結ぶＩＩＣ（Inter Integrated Circuit）ＢＵＳライン、２８はＨＤＭＩ端子ｂ２２とＥＥＰＲＯＭ２４を結ぶＩＩＣＢＵＳラインである。
【０００６】
各ＥＥＰＲＯＭ２３，２４には、固有のアドレス「Ａ０ｈ」が予め設定されている。ＥＥＰＲＯＭ２３，２４に記憶されているデータａ２５，データｂ２６は、例えば、ＥＤＩＤ（Extended Display Identification Data）である。
ＥＤＩＤとは、最大画像サイズ、カラー特性、工場出荷時のタイミング設定、モニタ名とシリアル番号の文字列など、モニタとその性能に関する基本情報である。
【０００７】
また、ＩＩＣＢＵＳライン２７，２８は、図示しないシリアルデータ（ＳＤＡ）とシリアルクロック（ＳＣＬ）の２本の信号線から構成されている。
【０００８】
３１はＨＤＭＩ端子ａ２１に接続される外部機器の一例であるＤＶＤ（Digital Versatile Disk）レコーダ、３２はＨＤＭＩ端子ｂ２２に接続される外部機器の一例であるＳＴＢ（Set Top Box）、３３はＨＤＭＩ端子ａ２１に接続されたＤＶＤレコーダ３１またはＨＤＭＩ端子ｂ２２に接続されたＳＴＢ３２からのＨＤＭＩ信号を処理するＨＤＭＩ信号処理部、４１は復調部１２またはＨＤＭＩ信号処理部３３からの映像信号を処理するための映像信号処理部、４２は復調部１２またはＨＤＭＩ信号処理部３３からの音声信号を処理するための音声信号処理部、４３は映像信号処理部４１から出力された映像信号が入力される映像表示部としてのＬＣＤ（Liquid Crystal Display）、４４は音声信号処理部４２から出力された音声信号が入力されるスピーカである。
【０００９】
図２のテレビ受像機１００では、備えられたＨＤＭＩ接続端子２１，２２毎にＥＥＰＲＯＭ２３，２４が設けられており、ＨＤＭＩ端子ａ２１にＤＶＤレコーダ３１が接続された場合、ＤＶＤレコーダ３１はＩＩＣＢＵＳライン２７を介して、上述した固有のアドレス「Ａ０ｈ」が設定されたデバイスであるＥＥＰＲＯＭ２３にアクセスし、ＥＥＰＲＯＭ２３に記憶されているデータａ２５の読み取りを開始する。
そして、ＤＶＤレコーダ３１は、データａ２５中のＥＤＩＤ（図示省略）を読み取ることにより、テレビ受像機１００との間における認証作業を行う。
ここで、認証作業とは、ＨＤＭＩ端子ａ２１にＤＶＤレコーダ３１が接続されている事実をテレビ受像機１００が確認する作業のことを指す。
【００１０】
ＨＤＭＩ端子ｂ２２にＳＴＢ３２が接続された場合も同様に、ＳＴＢ３２はＩＩＣＢＵＳライン２８を介して、固有のアドレス「Ａ０ｈ」が設定されたデバイスであるＥＥＰＲＯＭ２４にアクセスし、ＥＥＰＲＯＭ２４に記憶されているデータｂ２６の読み取りを開始する。
そして、ＳＴＢ３２は、データｂ２６中のＥＤＩＤ（図示省略）を読み取ることにより、テレビ受像機１００との間における認証作業を行う。
【００１１】
以上のように、ＥＥＰＲＯＭ２３，２４は、映像機器１００に備えられた各ＨＤＭＩ端子２１，２２に対応して設けられており、各ＥＥＰＲＯＭには、対応する各ＨＤＭＩ端子の識別情報とともにＥＤＩＤが記録されている。
このため、備えられたＨＤＭＩ端子の数と同数のＥＥＰＲＯＭを設ける必要があり、また、このＥＥＰＲＯＭを設置するために、基板上に多くのスペースを確保しなければならない。
【００１２】
特許文献１には、デジタルインターフェースによる複数の信号入力部と、複数の入力部から入力された信号を処理して出力する信号処理手段と、複数の信号入力部からの信号の入力状態を検出する入力状態検出手段と、複数の信号入力部に信号が入力されていることが検出された場合に、予め指定された信号入力部からの信号を選択して、信号処理手段に供給する選択手段を備えた信号選択装置が記載されている。
本文献の信号選択装置では、ＨＤＭＩ搭載を想定していなかった従来のＴＶ放送対応の受信機及びディスプレイシステムにおいても、ＨＤＭＩを介して入力される信号を効果的に選択することが出来る。
【００１３】
特許文献２には、第１デジタル信号を入力するための第１デジタルインターフェース端子と、第１デジタル信号とはデータ構成が異なる第２デジタル信号を入力するための第２デジタルインターフェースと、第１デジタル信号と第２デジタル信号のいずれか一方を選択して出力する選択手段を備えたテレビジョン受信機が記載されている。
本文献のテレビジョン受信機では、データ構成が互いに異なるデジタルインターフェース信号の切り替えを、簡単な回路構成を用いて、容易に行うことが出来る。
【００１４】
特許文献３には、デジタル信号を送受信する機器間において行われる認証処理及び複合化を行うＨＤＭＩ処理回路と鍵情報を記憶する記憶媒体とを保護する保護装置と、ＨＤＭＩ処理回路及び記憶媒体に対する異常接続を検知する手段と、映像表示部へＨＤＭＩ信号の表示を停止する手段と、ＨＤＭＩ信号の表示停止を伝達表示する表示手段を備えたテレビ受信機が記載されている。
本文献のテレビ受信機では、従来のＨＤＭＩ搭載テレビ受信機では保護出来ていなかったデジタル信号処理回路及び鍵情報を記憶する記憶媒体を保護し、外部へ秘密情報が不正流出することを防止することが出来る。
【００１５】
【特許文献１】特開２００４−３５７０２９号公報
【特許文献２】特開２００６−１９９４７号公報
【特許文献３】特開２００６−２５４０２９号公報
【発明の開示】
【発明が解決しようとする課題】
【００１６】
上記の特許文献１〜３においては、ＨＤＭＩ端子に接続された外部機器用のＥＤＩＤを記憶するＥＥＰＲＯＭの削減を図る事が出来ない為、コストの削減や、設置する際の基板上のスペースを縮小することが出来ない。
【００１７】
本発明は、上述した問題点に鑑み、ＨＤＭＩ端子に接続された外部機器用のＥＤＩＤを記憶する記憶部の削減によるコストの削減や、設置する際の基板上のスペースを縮小することが可能な映像機器を提供することを目的としている。
【課題を解決するための手段】
【００１８】
本発明に係る映像機器は、機器全体の制御を行う制御部と、デジタル信号を入力するためのＨＤＭＩ端子と、ＨＤＭＩ端子に接続された外部機器から伝送されるデジタル信号を処理するためのＨＤＭＩ信号処理部と、ＨＤＭＩ信号処理部から出力される映像信号に対して画像処理を行う映像信号処理部と、映像信号処理部から出力される映像信号が入力される映像表示部とを備えており、
映像表示部に関する基本情報であるＥＤＩＤを記憶した１つの記憶部を有し、ＨＤＭＩ端子は、映像機器に複数設けられ、ＥＤＩＤが、ＨＤＭＩ端子各々に対応して前記記憶部に記憶されている。
そして、ＨＤＭＩ端子に外部機器が接続され、映像機器と外部機器間において認証作業を行う場合、制御部は、外部機器が接続されているＨＤＭＩ端子を検出し、当該ＨＤＭＩ端子に対応したＥＤＩＤを記憶部から外部機器へ伝送する。
【００１９】
このようにすることで、映像機器に備えられた複数のＨＤＭＩ端子各々について、ＥＤＩＤを記憶した記憶部をそれぞれ設ける必要が無いため、記憶部の削減を図る事が可能であり、それに伴い、コストの削減や基板に設置する際の設置スペースを縮小することが出来る。
また、制御部により、外部機器が接続されているＨＤＭＩ端子を検出し、当該ＨＤＭＩ端子に対応したＥＤＩＤを記憶部から外部機器へ伝送するため、映像機器に同時に接続されている外部機器各々に対して、誤ったＥＤＩＤを伝送することを防止することが出来る。
【発明の効果】
【００２０】
本発明によれば、ＥＤＩＤを複数のＨＤＭＩ各々に対応して１つの記憶部に記憶し、制御部の制御の下、外部機器が接続されているＨＤＭＩ端子を検出し、当該ＨＤＭＩ端子に対応したＥＤＩＤを記憶部から外部機器へ伝送することにより、記憶部の削減を図る事が可能であり、それに伴い、コストの削減や基板に設置する際の設置スペースを縮小することが出来る。
また、映像機器に同時に接続されている外部機器各々に対して、誤ったＥＤＩＤを伝送することを防止することも出来る。
【発明を実施するための最良の形態】
【００２１】
以下、本発明の実施形態につき、図面を参照しながら説明する。
【００２２】
図１は、本発明に係る映像機器の一例を示したブロック図である。
図１では、図２と同一部分または対応する部分に同一符号を付してある。
図において、２００は本発明の映像機器の一例であるテレビ受像機、５１はテレビ受像機２００全体を制御するためのマイクロプロセッサ、５２はテレビ受像機２００の各部に電源を供給する電源部、６１はテレビ受像機２００に備えられたＨＤＭＩ端子ｃ、６２はテレビ受像機２００に備えられたＨＤＭＩ端子ｄ、６３はＨＤＭＩ端子ｃ６１およびＨＤＭＩ端子ｄ６２用に設けられたＥＥＰＲＯＭ、６４はＥＥＰＲＯＭ６３に記憶されているデータｃ、６５はＥＥＰＲＯＭ６３に記憶されているデータｄ、６６はＨＤＭＩ端子ｃ６１とＥＥＰＲＯＭ６３を結ぶＩＩＣＢＵＳライン、６７はＨＤＭＩ端子ｄ６２とＥＥＰＲＯＭ６３を結ぶＩＩＣＢＵＳラインである。
【００２３】
図１のテレビ受像機２００では、備えられたＨＤＭＩ接続端子６１，６２毎にＥＥＰＲＯＭが設けられておらず、ＨＤＭＩ端子ｃ６１に接続された外部機器が読み取りを行うデータｃ６４及びＨＤＭＩ端子ｄ６２に接続された外部機器が読み取りを行うデータｄ６５が１つのＥＥＰＲＯＭ６３内にあるそれぞれの領域に記憶されている。
【００２４】
この様に、１つのＥＥＰＲＯＭ内にあるそれぞれの領域に複数のデータが記憶されている場合、ＤＶＤレコーダ３１・ＳＴＢ３２共に、２つのデータ（データｃ６４およびデータｄ６５）に対して読み取りを行うことが可能なため、本来読み取るべきデータ以外のデータを読み取る恐れがあり、誤ったデータを読み取った場合は、ＤＶＤレコーダ３１・ＳＴＢ３２の接続確認が正確になされない等の不具合が生じてしまう。
【００２５】
上述した問題点を解消するため、本発明においては、下記の手段を講じる。
【００２６】
ＨＤＭＩ端子ｃ６１にＤＶＤレコーダ３１が接続された場合、ＤＶＤレコーダ３１はＥＥＰＲＯＭ６３に記憶されているデータｃ６４を読み取るために通信を開始する。
【００２７】
この通信による通信信号は、マイクロプロセッサ５１によって受信され、通信信号を受信したマイクロプロセッサ５１は、通信元のＤＶＤレコーダ３１が接続されているＨＤＭＩ端子ｃ６１を検出する。
【００２８】
そして、マイクロプロセッサ５１の制御により、検出したＨＤＭＩ端子ｃ６１に接続された外部機器用のデータｃ６４がＥＥＰＲＯＭ６３からＤＶＤレコーダ３１へ送信され、ＤＶＤレコーダ３１は送信されたデータｃ６４を受信し、認証作業を行う。
【００２９】
また、ＨＤＭＩ端子ｄ６２にＳＴＢ３２が接続された場合も上述と同様、ＳＴＢ３２はＥＥＰＲＯＭ６３に記憶されているデータｄ６５を読み取るために通信を開始する。
【００３０】
この通信による通信信号は、マイクロプロセッサ５１によって受信され、通信信号を受信したマイクロプロセッサ５１は、通信元のＳＴＢ３２が接続されているＨＤＭＩ端子ｄ６２を検出する。
【００３１】
そして、マイクロプロセッサ５１の制御により、検出したＨＤＭＩ端子ｄ６２に接続された外部機器用のデータｄ６５がＥＥＰＲＯＭ６３からＳＴＢ３２へ送信され、ＳＴＢ３２は送信されたデータｄ６５を受信し、認証作業を行う。
【００３２】
さらに、ＨＤＭＩ端子ｃ６１にＤＶＤレコーダ３１が接続されると同時にＨＤＭＩ端子ｄ６２にＳＴＢ３２が接続される場合においても、上述と同様である。
【００３３】
ＤＶＤレコーダ３１およびＳＴＢ３２からの通信信号は、マイクロプロセッサ５１によって受信され、それぞれの通信信号を受信したマイクロプロセッサ５１は、通信元のＤＶＤレコーダ３１が接続されているＨＤＭＩ端子ｃ６１およびＳＴＢ３２が接続されているＨＤＭＩ端子ｄ６２を検出する。
【００３４】
そして、マイクロプロセッサ５１の制御により、検出したＨＤＭＩ端子ｃ６１に接続された外部機器用のデータｃ６４がＥＥＰＲＯＭ６３からＤＶＤレコーダ３１へ送信され、ＨＤＭＩ端子ｄ６２に接続された外部機器用のデータｄ６５が同ＥＥＰＲＯＭ６３からＳＴＢ３２へ送信される。
【００３５】
ＤＶＤレコーダ３１は、ＥＥＰＲＯＭ６３から送信されたデータｃ６４を受信することによって認証作業を行い、ＳＴＢ３２は同ＥＥＰＲＯＭ６３から送信されたデータｄ６５を受信することによって認証作業を行う。
【００３６】
上述した実施形態によれば、テレビ受像機２００に備えられたＨＤＭＩ端子ｃ６１またはＨＤＭＩ端子ｄ６２の一方または両方に、外部機器であるＤＶＤレコーダ３１またはＳＴＢ３２が接続され、認証作業が行われる場合、マイクロプロセッサ５１により、ＤＶＤレコーダ３１またはＳＴＢ３２が接続されているＨＤＭＩ端子が検出され、検出されたＨＤＭＩ端子に接続された外部機器用のデータが、ＥＥＰＲＯＭ６３から接続元のＤＶＤレコーダ３１またはＳＴＢ３２に送信される。
【００３７】
このため、備えられたＨＤＭＩ端子毎にＥＥＰＲＯＭを設ける必要が無く、ＥＥＰＲＯＭの削減を図る事が可能であり、それに伴い、コストの削減や設置する際の基板上のスペースを縮小することが出来る。
また、映像機器に複数の外部機器が接続される場合においても、接続されている外部機器各々に対して、誤った映像表示部情報が伝送されることを防止することも出来る。
【００３８】
上記の実施形態においては、ＥＤＩＤを記憶する記憶部としてＥＥＰＲＯＭを用いたが、これに限られるものではなく、例えば、ＲＯＭ（Read Only Memory）の様なＥＤＩＤを記憶できる記憶部であれば良い。また、その設置の際にスペースを要しないものであれば、尚良い。
【００３９】
また、上記の実施形態においては、映像機器としてテレビ受像機を例に挙げたが、ＨＤＭＩ端子を備えたモニタでも良い。
【図面の簡単な説明】
【００４０】
【図１】本発明に係る映像機器を示したブロック図である。
【図２】従来の映像機器を示したブロック図である。
【符号の説明】
【００４１】
３１  ＤＶＤレコーダ
３２  ＳＴＢ
５１  マイクロプロセッサ
６１，６２  ＨＤＭＩ端子
６３  ＥＥＰＲＯＭ
６４，６５  データ
６６，６７  ＩＩＣＢＵＳライン
２００  テレビ受像機
【図１】
2009038599.tif 000003
【図２】
2009038599.tif 000004